(57)【要約】【課題】  安全性を考慮した絶縁性の高い溶接ワイヤ収納容器を提供する。【解決手段】  溶接ワイヤ収納容器は外筒１と内筒３とからなる２重管構造をしており、外筒１の下端部を金属製のリングを使用してかしめることにより、その底部に底板２が固定されている。金属製又は合金製の内筒嵌め込みガイド４が底板２の上面に配置されており、内筒嵌め込みガイド４は底板２の下面から差し込まれたステープル１１によって底板２の上面に固定されている。ステープル１１は底板２に平行な直線部分が底板２の下面から所定幅だけ埋没する位置で固定される。これによって、段ボールからなる底板２の下面に窪みが形成される。電気絶縁性の樹脂材１５がこの窪みに充填される。絶縁性の段ボールシートが絶縁樹脂材１５の接着性を利用して底板２の下面に貼着される。【選択図】図１
2006102796.tif 000002
【特許請求の範囲】
【請求項１】
外筒と、この外筒の底部に配置された底板と、この底板の上面に配置された金属又は合金製の内筒嵌め込みガイドと、前記内筒嵌め込みガイドと前記底板とを固定しその下端が前記底板の下面よりも上方となるように前記底板内に埋没した固定金具と、この内筒嵌め込みガイドに嵌合された内筒と、前記固定金具の埋没部分に充填された絶縁樹脂材とを有することを特徴とする溶接ワイヤ収納容器。
【請求項２】
前記樹脂材は接着性を有し、この樹脂材により接着された絶縁シートが前記底板の下面に配置されていることを特徴とする請求項１に記載の溶接ワイヤ収納容器。
【請求項３】
前記固定金具はステープルであることを特徴とする請求項１又は２に記載の溶接ワイヤ収納容器。
【発明の詳細な説明】
【技術分野】
【０００１】
本発明は、安全性を考慮した絶縁性の高い溶接ワイヤ収納容器に関する。
【背景技術】
【０００２】
本発明は溶接ワイヤをループ状に落とし込んで収納する溶接ワイヤ収納容器に関する。
溶接ワイヤ収納容器は、溶接ワイヤを大量に収納し、使用先に送給する場合に使用される。溶接ワイヤ収納容器は例えば段ボール製であり、通常２００乃至５００ｋｇの溶接ワイヤが収容される。
【０００３】
このような、溶接ワイヤ収納容器に関する先行技術文献として、例えば実公平３−１１１８９号公報があげられる。図９（ａ）及び（ｂ）は上記従来技術を示す説明図であって図９（ａ）は容器入り溶接ワイヤの縦断面図、図９（ｂ）は図９（ａ）のＡ−Ａ線断面図である。図９（ａ）において、溶接ワイヤ収納容器は外筒としてのドラム３２と、このドラム３２の内側に同心円状に配置された内筒３３とを有する２重管構造をしている。内筒３３は底板４３の中央部分に設けられた円筒状の内筒固定治具４８に例えば外装するように固定されている。
【０００４】
この溶接ワイヤ収納容器に溶接ワイヤを収納した容器入り溶接ワイヤにおいて、巻き取り線材４５の振動を抑制し、絡みを防止する線材係止具４１は、図９（ｂ）に示したように、係止具本体３１と副枠４０とで主として構成される。
【０００５】
そして、図９（ａ）に示したように、押さえ板４６の上部の内筒３３に線材係止具４１の副枠４０を外装し、弾条具３８を下側にした係止具本体３１をドラム３２の胴部４２に内接すると共に副枠４０に外嵌する。この状態でドラム３２の蓋４７を被せることにより、係止具本体３１を介して副枠４０によって押さえ板４６を下方に押さえ付け、これによって巻き取り線材４５の振動を緩衝し、絡みつきを防止する。上記先行技術文献には内筒固定治具４８の底板４３への取付構造は開示されていない。以下、この点について説明する。
【０００６】
図４及び図５は、２重管構造の溶接ワイヤ収納容器に溶接ワイヤを収容した一般的な容器入り溶接ワイヤを示す説明図である。図４はその斜視図、図５は図４の縦方向断面図である。図４及び図５において、溶接ワイヤ収納容器１０は内筒付の２重管構造をしている。即ち、円筒状の外筒１の底部に底板２が配置されており、この底板２の内面に、外筒１よりも径が小さい円筒状の内筒３が外筒１と同心円状に配置されている。内筒３は内筒嵌め込みガイド４を介して円盤状の底板２の内面に取り付けられている。
【０００７】
外筒１と内筒３との間の空間部に溶接ワイヤがループ状に落とされ積層されて溶接ワイヤ積層体５が形成されている。この溶接ワイヤ積層体５の上部に押さえ板６が載置されており、押さえ板６は溶接ワイヤ積層体５の最上層部のワイヤの跳ね上がりを防止している。図４において、押さえ板６の外周部には外筒１の内面に摺接する弾性部材７が取り付けられている。溶接ワイヤの落とし込み終端であって取り出し始端８は押さえ板６と内筒３との隙間を経て容器の上部に引き出される。
【０００８】
このような溶接ワイヤ収納容器において、内筒嵌め込みガイド４の底板２の上面への取り付けは固定金具、例えばステープルによって行われる。図６及び図７は、内筒嵌め込みガイド４を底板２に固定する従来技術を示す要部断面図である。図６において、外筒１の底部に配置された底板２の上面に金属又は合金製の内筒嵌め込みガイド４が固定されており、この内筒嵌め込みガイド４に内筒３の下端部を嵌め込んで、内筒３が外筒１と同心円状になるように固定される。内筒嵌め込みガイド４は底板２の下面である図中下方から差し込まれたステープル１１によって底板２の上面に固定されている。
【０００９】
図７において、ステープル１１の左右両端は例えば段ボール製の底板２及びこの底板２の内面に配置された金属製の内筒嵌め込みガイド４の平板部分を貫通し、互いに向き合う方向に曲げられ、その先端部を夫々内筒嵌め込みガイド４の前記平板部の上面に当接することによって内筒嵌め込みガイド４を底板２の上面に固定している。
【００１０】
内筒嵌め込みガイド４の平板部には、例えば所定位置に図示省略したステープル貫通用の貫通孔が形成されており、ステープル１１はこの貫通孔を通り、内筒嵌め込みガイド４を底板２に固定している。このような内筒嵌め込みガイド４の固定状態においては、ステープル１１は底板２の下面に露出している。従って、従来の溶接ワイヤ収納容器では、溶接ワイヤを収納した場合、ワイヤの重さで底板がたわみ、ステープル１１が金属製の床面に当接することがあり、絶縁性を確保することが困難となる。
【００１１】
一般に、溶接ワイヤを糸巻き状に巻き取るスプールとして、絶縁性を確保する目的で樹脂製のスプールが使用されている。このような観点から、溶接ワイヤ収納容器にも当然に絶縁性が要求される。即ち、溶接ワイヤ収納容器において絶縁性が確保されず、電流が漏れると溶接トーチに適正な溶接電流が供給されず、アーク不安定等の不具合が発生することになり、溶接不良の原因となる。従って、溶接ワイヤ収納容器についても同様に高い絶縁性が求められている。
【００１２】
このような状況の下、上記従来技術では、溶接ワイヤ収納容器の絶縁性を確保するために底板の下面に段ボール１２を設け、ステープル１１の露出部分が床面に接触しないようにしている。
【００１３】
しかしながら、上記従来技術には以下のような問題点があった。即ち、溶接ワイヤ収納容器に溶接ワイヤを収納した容器入り溶接ワイヤは溶接機の近傍に配置して使用される。従って、容器入り溶接ワイヤは金属製の架台上に載置された状態で使用されることがある。このような場合、溶接ワイヤ収納容器１０の底部に貼着された絶縁性段ボールシートがすり切れて破損すると、底板２からステープル１１が露出し、このステープル１１が直接前記金属製架台に接触する。そして、前記金属製架台にアースが接続されているとアースとステープルとが導通することになる。
【００１４】
このような場合において、溶接ワイヤ収納容器の金属製の内筒嵌め込みガイド４に内筒３が確実に嵌合されておらず、溶接ワイヤの落とし込み始端が内筒嵌め込みガイド４に接触していると、溶接ワイヤとアースとが導通することになり、溶接ワイヤが発熱することがあり、溶接ワイヤ収納容器の絶縁性を確保することができなくなる。
【００１５】
また、上記従来技術では、絶縁性を確保するために、ステープル１１の露出部分に段ボール１２を貼着するという作業が必要となり、製造工程が煩雑になるという問題点もあった。
【００１６】
図８は、別の従来技術である溶接ワイヤ収納容器の要部断面図である。図８において、
外筒１の底部に配置された底板２の内面に樹脂製の内筒嵌め込みガイド１３が配置されている。内筒嵌め込みガイド１３は絶縁体である樹脂で形成されており、固定用のボルト・ナット１４によって底板２に固定されている。このような溶接ワイヤ収納容器は内筒嵌め込みガイド１３が絶縁性の樹脂で構成されているので、この内筒嵌め込みガイド１３と溶接ワイヤとが接触しても、溶接ワイヤがアースと導通することはなく、高い絶縁性を確保することができる。
【００１７】
しかしながら、上記従来技術における樹脂製の内筒嵌め込みガイドは環境負荷が高く、しかもコストが嵩むという問題点がある。即ち、金属製のガイドであればリサイクル性が高く、繰返し使用が可能であることから、コストの低減を図ることができる。これに対し、樹脂製のガイドは材料自体が高価であることに加え、金属製のガイドほどの強度が得られないので、繰返し使用には限度があり、リサイクル性に問題がある。
【００１８】
【特許文献１】実公平３−１１１８９号公報
【発明の開示】
【発明が解決しようとする課題】
【００１９】
上述の如く、従来技術には種々の問題点がある。即ち、上記図６及び図７に示した従来技術においては、確実な電気絶縁性を確保することが困難であることに加え、底板の下面に露出したステ−プルを絶縁シートで被覆しても絶縁シートがすり切れた場合絶縁性が保てない。また、図６及び図７に示した従来技術には製造工程が煩雑であるという問題点がある。一方、図８に示した従来技術には環境負荷が高く、しかもコストが嵩むという問題点がある。
【００２０】
本発明はかかる問題点に鑑みてなされたものであって、製造コストを増大させることなく、電気絶縁性に優れ、安全性が著しく向上する溶接ワイヤ収納容器を提供することを目的とする。
【課題を解決するための手段】
【００２１】
本願発明に係る溶接ワイヤ収納容器は、外筒と、この外筒の底部に配置された底板と、この底板の上面に配置された金属又は合金製の内筒嵌め込みガイドと、前記内筒嵌め込みガイドと前記底板とを固定しその下端が前記底板の下面よりも上方となるように前記底板内に埋没した固定金具と、この内筒嵌め込みガイドに嵌合された内筒と、前記固定金具の埋没部分に充填された絶縁樹脂材とを有することを特徴とする。
【００２２】
本願発明において、前記樹脂材は接着性を有し、この樹脂材により接着された絶縁シートが前記底板の下面に配置されていることが好ましい。また、本願発明において、前記固定金具として、ステープルを使用することができる。
【発明の効果】
【００２３】
本発明に係る溶接ワイヤ収納容器によれば、内筒嵌め込みガイドを底板に固定する固定金具を底板の外表面よりも内面側に埋没させ、この固定金具の埋没部分に絶縁樹脂材を充填したことにより、絶縁性段ボールシートを貼着しなくても溶接ワイヤ収納容器の電気絶縁性を確実に確保することができる。
【００２４】
本願の請求項２に係る溶接ワイヤ収納容器によれば、固定金具の埋没部分に充填された絶縁樹脂材を接着剤として利用して絶縁シートを貼着したことにより、絶縁シートを貼着するという煩雑さは残るものの、溶接ワイヤ収納容器の絶縁性をより確実に確保して安全性を高めることができる。
【００２５】
また、本願の請求項３に係る溶接ワイヤ収納容器によれば、固定金具として従来から使用されているステープルを使用したことにより、簡易な方法で溶接ワイヤ収納容器の絶縁性を確保することができる。
【発明を実施するための最良の形態】
【００２６】
以下、本発明の実施の形態について、添付の図面を参照して具体的に説明する。図１は、本発明の実施形態に係る溶接ワイヤ収納容器の要部を示す断面図であり、図２はその一部拡大図である。図１において、この溶接ワイヤ収納容器は、外筒１と内筒３とからなる２重管構造をしており、外筒１は、例えば段ボール製であり、この外筒１の下端部を金属製のリングを使用してかしめることにより、その底部に、例えば段ボール製の底板２が固定されている。
【００２７】
底板２の上面には金属製又は合金製の内筒嵌め込みガイド４が配置されている。この内筒嵌め込みガイド４は円板状部分とこの円板状部分の周縁から立ち上がる円筒状部分からなる形状を有し、底板２の下面から上方に押し込まれたステープル１１によって底板２の上面に固定されている。ステープル１１は内筒嵌め込みガイド４の円筒状部分よりも内側の円板状部分に、例えば同一円周上に等間隔になるように打ち込まれる。ステープル１１の打ち込み位置は例えば４箇所乃至１５箇所等の複数箇所である。
【００２８】
図２に示すように、ステープル１１はＵ字状をなしており、水平の頭部と、この頭部の左右両端から図中上方へ延びる脚部とから構成されている。ステープル１１は底板２の下方から底板２内に押し込まれ、その左右の脚部は段ボール製の底板２及びこの底板２の上面に重ねられた金属製内筒嵌め込みガイド４の平板部分を貫通し、互いに向き合うように曲げられ、両脚部の先端部が内筒嵌め込みガイド４の平板部の上面に当接する。これにより、内筒嵌め込みガイド４が底板２の上面に固定される。
【００２９】
ステープル１１の頭部は底板２の下面よりも上面側に所定長さ、例えば０．５乃至１．０ｍｍだけ押し込まれ、底板２の下面よりも上方に埋没している。これによってステープル１１の頭部の底板２の下面からの出っ張りが防止され、溶接ワイヤの重さによって底板２が撓み、底板２が金属製床面と接触してもステープル１１が床面に接触することはなく、絶縁性が確保される。
【００３０】
ステープル１１の頭部を底板２の下面から所定長だけ埋没させる方法は、例えばステープル１１を底板２を介して内筒嵌め込みガイド４の平板部分に押し込む際の押し込み力を従来より大きくするか、又はステープル１１の押し込み長さを従来より長くすればよい。
【００３１】
このようにしてステープル１１の頭部を底板２の下面から底板２内に埋没させることにより、段ボールからなる底板２の下面に窪みが形成される。この窪みには電気絶縁性の樹脂材１５、例えば接着剤が充填される。窪みに充填される絶縁性樹脂材１５の種類は特に限定されず、例えば酢酸ビニル樹脂、エポキシ樹脂、アクリル樹脂、ウレタン樹脂等が使用される。ステープル１１を底板２の下面から埋没させることによって形成された窪みに絶縁樹脂材１５を充填することにより、金属製のステープル１１が絶縁樹脂材１５で被覆されるので、溶接ワイヤ収納容器の絶縁性を確保することができる。
【００３２】
ステープル１１を被覆した絶縁樹脂材１５の表面には、図１に示されるように、絶縁樹脂材１５の接着力を利用して、絶縁性シートとして、例えば段ボールシート１６が貼着される。この段ボールシート１６は絶縁樹脂材１５を保護し、溶接ワイヤ収納容器の電気絶縁性をより確実なものとする。
【００３３】
内筒嵌め込みガイド４には、例えば段ボール製の内筒３が嵌合するように嵌め込まれ、溶接ワイヤ収納容器が形成される。
【００３４】
次に、上述のように構成された溶接ワイヤ収納容器の動作について説明する。内筒嵌め込みガイド４に内筒３を嵌合し、外筒１と内筒３との間であって底板２の上部の空間に溶接ワイヤをループ状に落とし、溶接ワイヤを積層して収納する。
【００３５】
本実施形態においては、内筒嵌め込みガイド４が金属製のステープル１１によって底板２に固定されているが、このステープル１１の頭部は底板２の下面よりも上方となるように底板２内に埋没しており、更にステープル１１の頭部が埋没した窪み部分に絶縁樹脂材１５が充填されている。
【００３６】
このため、溶接ワイヤの重さによって底板２が撓み、底板２が床面に接触したとしても床面とステープル１１とが直接接触することはない。従って、床面が金属製の架台であり、且つアースと接続されたものであったとしても、前記アースとステープル１１が直接接触して導通することはなく、また、ステープル１１及び内筒嵌め込みガイド４を介して溶接ワイヤと床面とが導通することがない。従って、溶接ワイヤ収納容器に収納された溶接ワイヤにステープル１１及び内筒嵌め込みガイド４を介して漏電電流が流れることはなく、溶接ワイヤ収納容器の絶縁性が確保される。溶接ワイヤ収納容器の絶縁性が確保されることにより、溶接トーチに適正な溶接電流が供給され易くなり、アーク不安定等の不具合を防止して溶接品質の向上を図ることができる。
【００３７】
また、内筒嵌め込みガイド４として金属製のガイドを使用したことにより、樹脂製のガイドに比べてリサイクル性が高く、繰返し使用が可能であることから、コストの低減を図ることができる。また、樹脂製のガイドに比べて環境負荷が低く押さえられる。
【００３８】
このように、本実施形態によれば、外筒１と、この外筒と同心円状に設けられた内筒３とを有する溶接ワイヤ収納容器の内筒３を支持する内筒嵌め込みガイド４を底板２に固定するステープル１１を、底板２の下面よりも上面側に埋没させ、この埋没部分に電気絶縁性の樹脂材１５を充填すると共に、この樹脂材の接着力を利用して絶縁性の段ボールシート１６を貼着したことにより、前記ステープルを絶縁材で２重に覆うことになり、絶縁性をより確実に確保することができ、溶接ワイヤ収納容器の安全性をより高めることができる。また、樹脂製のガイドよりはるかにリサイクル性の優れている金属製のガイドを使用でき、コストの削減を図ることができる。
【００３９】
上記実施形態において、ステープル１１を底板２の下面から埋没させることによって底板２の下面に形成された窪みに絶縁樹脂材１５を充填した場合について説明したが、本発明はこれに限定されるものではなく、前記底板２の下面に形成された窪みだけでなく、この窪みの周囲にも絶縁樹脂材１５をコーティングするようにしてもよい。図３は、ステープル１１が埋没した窪みだけでなく、その周囲にも絶縁樹脂材１５をコーティングした場合を示す断面図である。このように、ステープル１１が埋没した窪みだけでなく、その周囲にも絶縁樹脂材１５をコーティングすることによって、溶接ワイヤ収納容器の電気絶縁性をより確実に確保することができる。また、本発明において、内筒嵌め込みガイド４を底板２の上面に固定する際、内筒嵌め込みガイド４の所定位置にステープル１１の脚部を貫通させるための貫通孔を設けるようにしてもよい。これによって、ステープル１１の押し込み力を小さくすることができる。
【産業上の利用可能性】
【００４０】
本発明は、電気絶縁性を確実に確保することができる安全性に優れた溶接ワイヤ収納容器であり、自動溶接の分野で、特に有用である。
【図面の簡単な説明】
【００４１】
【図１】本発明の実施形態である溶接ワイヤ収納容器の部分断面図である。
【図２】図１の一部拡大図である。
【図３】図２の変形例を示す断面図である。
【図４】溶接ワイヤ収納容器の斜視図である。
【図５】図４の縦断面図である。
【図６】従来技術を示す説明図である。
【図７】図６の部分拡大図である。
【図８】他の従来技術を示す説明図である。
【図９】別の従来技術を示す説明図である。
【符号の説明】
【００４２】
１：外筒
２：底板
３：内筒
４：内筒嵌め込みガイド
５：溶接ワイヤ積層体
６：押さえ板
７：弾性部材
８：落とし込み終端
１０：溶接ワイヤ収納容器
１１：ステープル
１２：段ボール
１３：樹脂製の内筒嵌め込みガイド
１４：ボルト・ナット
１５：絶縁樹脂材
１６：段ボールシート
３１：係止具本体
３２：ドラム
３３：内筒
３８：弾条具
４０：副枠
４１：線材係止具
４２：胴部
４３：底板
４５：巻き取り線材
４６：押さえ板
４７：蓋
４８：内筒固定治具
【図１】
2006102796.tif 000003
【図２】
2006102796.tif 000004
【図３】
2006102796.tif 000005
【図４】
2006102796.tif 000006
【図５】
2006102796.tif 000007
【図６】
2006102796.tif 000008
【図７】
2006102796.tif 000009
【図８】
2006102796.tif 000010
【図９】
2006102796.tif 000011